(57)【要約】  【課題】  遊技台に供給する電力の投入と遮断を適切に制御することのできる電源制御装置を提供する。  【解決手段】  遊技台４に電力を供給している際に、その遊技台４へ流れる電流の電流値を電流計測部１３で取得し、遊技台４の起動後に、電流計測部１３で取得した電流値に基づいて、遊技台４の待機電流の電流値を特定するとともに、電流計測部１３で取得した電流値を監視し、遊技台４へ流れる電流の電流値が待機電流値として特定した電流値である状態が予め定めた時間継続した場合に、電力遮断部１４が遊技台４へ供給する電力を遮断する。【選択図】        図１
2012239812.tif 000002
【特許請求の範囲】
【請求項１】
遊技台に電力を供給している際に、該遊技台へ流れる電流の電流値を取得する電流値取得手段と、
前記遊技台の起動後に、前記電流値取得手段が取得した電流値に基づいて、該遊技台の待機電流の電流値を特定する待機電流値特定手段と、
前記電流値取得手段が取得した電流値を監視し、前記遊技台へ流れる電流の電流値が前記待機電流値特定手段が特定した電流値である状態が予め定めた時間継続した場合に、該遊技台へ供給する電力を遮断する電力遮断手段と
を具備することを特徴とする電源制御装置。
【請求項２】
前記遊技台への電力供給の復帰を要求する復帰要求ボタンの押下と、前記遊技台の近傍に配置された人体検知センサによる人体の検出信号との少なくとも一方を入力信号として受け付ける入力信号受付手段と、
前記入力信号受付手段が受け付けた入力信号に応じて前記電力遮断手段による前記遊技台へ供給する電力の遮断を解除する遮断解除手段と
をさらに具備することを特徴とする請求項１記載の電源制御装置。
【発明の詳細な説明】
【技術分野】
【０００１】
本発明は、電源制御装置に関し、特に、遊技台に供給する電力の投入と遮断を制御する電源制御装置に関する。
【背景技術】
【０００２】
近年、環境への配慮や電力不足を解消することを目的として、様々な機器に対して節電対策を施すことが求められている。
【０００３】
このような節電の要求は、パチンコ機やパチスロ機等の遊技台に対しても例外ではなく、これらの機器に対しても節電対策を施すことが検討されている。
【０００４】
ところで、パチンコ機やパチスロ機等の遊技台は、法律等で定められた規制等に適合している必要があり、また、検査等を受けることも必要であることから、節電のための機能を追加することが困難な場合がある。
【０００５】
このため、遊技台に節電対策を施す方法として、例えば、特許文献１に記載された電源タップ等を用いて、遊技台に供給する電力を制御することも検討されている。
【先行技術文献】
【特許文献】
【０００６】
【特許文献１】特開２００５−２７６５９５号公報
【発明の概要】
【発明が解決しようとする課題】
【０００７】
前述の特許文献１に記載された技術を用いて遊技台に節電対策を施す場合、人体感知センサを配置して室内の人の有無を確認することとなる。
【０００８】
しかしながら、人体感知センサの感知結果に誤りがあった場合、特に、遊技台へ供給している電力を遮断しようとする場合に、感知結果に誤りがあると、遊技中の遊技台への電力を遮断してしまうこととなる。
【０００９】
そこで、本発明は、遊技台に供給する電力の投入と遮断を適切に制御することのできる電源制御装置を提供することを目的とする。
【課題を解決するための手段】
【００１０】
上述した目的を達成するため、請求項１の発明は、遊技台に電力を供給している際に、該遊技台へ流れる電流の電流値を取得する電流値取得手段と、前記遊技台の起動後に、前記電流値取得手段が取得した電流値に基づいて、該遊技台の待機電流の電流値を特定する待機電流値特定手段と、前記電流値取得手段が取得した電流値を監視し、前記遊技台へ流れる電流の電流値が前記待機電流値特定手段が特定した電流値である状態が予め定めた時間継続した場合に、該遊技台へ供給する電力を遮断する電力遮断手段とを具備することを特徴とする。
【００１１】
また、請求項２の発明は、請求項１の発明において、前記遊技台への電力供給の復帰を要求する復帰要求ボタンの押下と、前記遊技台の近傍に配置された人体検知センサによる人体の検出信号との少なくとも一方を入力信号として受け付ける入力信号受付手段と、前記入力信号受付手段が受け付けた入力信号に応じて前記電力遮断手段による前記遊技台へ供給する電力の遮断を解除する遮断解除手段とをさらに具備することを特徴とする。
【発明の効果】
【００１２】
本発明によれば、遊技中の遊技台へ供給している電力を遮断することなく、遊技台に対する節電処理を適切に行うことが可能となる。
【図面の簡単な説明】
【００１３】
【図１】本発明に係る電源制御装置を利用した遊技システムの構成例を示した図である。
【図２】電源制御装置１の機能的な構成例を示すブロック図である。
【図３】制御部１１の動作の流れを示すフローチャートである。
【図４】遊技台４に流れる電流の例を示した波形図である。
【発明を実施するための形態】
【００１４】
以下、本発明に係る電源制御装置の一実施の形態について、添付図面を参照して詳細に説明する。
【実施例】
【００１５】
図１は、本発明に係る電源制御装置を利用した遊技システムの構成例を示した図である。同図に示す遊技システムは、複数の電源制御装置１−１〜１−ｎを、それぞれ、遊技台４−１〜４−ｎと電源５の間に配置するとともに、電源制御装置１−１〜１−ｎのそれぞれに、復帰要求ボタン２−１〜２−ｎと人体検知センサ３−１〜３−ｎが接続されている。なお、復帰要求ボタン２−１〜２−ｎと人体検知センサ３−１〜３−ｎは、いずれか一方のみが接続されている構成とすることができる。
【００１６】
電源制御装置１−１〜１−ｎは、それぞれ、遊技台４−１〜４−ｎに供給する電力の遮断と投入を制御するものであり、いずれも、同様の動作をするものである。したがって、以下では、電源制御装置１−１〜１−ｎの任意の１台について説明する。
【００１７】
図２は、電源制御装置１の機能的な構成例を示すブロック図である。なお、同図に示す電源制御装置１は、図１に示した電源制御装置１−１〜１−ｎの任意の１台であり、復帰ボタン２、人体検知センサ３、遊技台４は、それぞれ、復帰要求ボタン２−１〜２−ｎ、人体検知センサ３−１〜３−ｎ、遊技台４−１〜４−ｎのうち、電源制御装置１に接続されたものを示している。
【００１８】
同図に示すように、電源制御装置１は、制御部１１と、信号入力部１２、電流計測部１３、電力遮断部１４、電力入力部１５、電力出力部１７、制御装置用電源１７、制御信号入出力部１８を有している。
【００１９】
制御部１１は、信号入力部１２から入力された信号、電流計測部１３が計測した電流値、制御信号入出力部１８から入力された制御信号等に基づいて、電力遮断部１４の動作を制御するものであり、例えば、マイコン等のプロセッサや、論理回路の組み合わせ等により実現することができる。なお、制御部１１の動作については、後述する。
【００２０】
信号入力部１２は、復帰要求ボタン２が押下された際に生成される信号、人体検知センサ３が人体を検知した際に生成された信号が入力されるもので、入力端子等により実現されるものである。なお、復帰要求ボタン２と人体検知センサ３は、いずれも、遊技台４の近傍に設置されるものである。また、復帰要求ボタン２と人体検知センサ３は、いずれか一方を省略することもできる。
【００２１】
電流計測部１３は、遊技台４に供給される電流の値を計測して取得するもので、汎用の電流検出素子等で実現されるものである。
【００２２】
電力遮断部１４は、制御部１１による制御に基づいて動作し、電力入力部１５から入力され、電力出力部１６を介して遊技台４に供給される電力を投入、遮断するスイッチであり、リレーにより駆動するスイッチや半導体によるスイッチング素子等で実現されるものである。
【００２３】
電力入力部１５は、電源５から供給される電源を入力するもので、入力端子等により実現されるものである。
【００２４】
電力出力部１６は、遊技台４へ供給する電力を出力するもので、出力端子等により実現されるものである。
【００２５】
制御装置用電源１７は、電力入力部１５から供給された電力を、制御部１１等の各部へ供給するための電源であり、必要に応じて電圧等の変換を行う。
【００２６】
制御信号入出力部１８は、制御部１１に対して電力遮断部１４の制御を手動で実行させる際の制御信号の入力と、電力遮断部１４の状態を示す状態信号を出力するためのもので、入出力端子等により実現されるものである。この制御信号入出力部１８は、複数の電源制御装置１−１〜１−ｎを同時に操作する際に利用されるものであるが、必ずしも必要なものではない。
【００２７】
次に、制御部１１の動作について説明する。図３は、制御部１１の動作の流れを示すフローチャートである。
【００２８】
制御部１１は、動作を開始すると、制御信号入出力部１８への電力遮断部１４の投入を指示する制御信号の入力、信号入力部１２への復帰要求ボタン２の押下に応じた信号の入力、信号入力部１２への人体検知センサ３による人体検知に応じた信号の入力のいずれかを待つ（ステップ１０１でＮＯ、ステップ１０２でＮＯ、ステップ１０３でＮＯ）。なお、この時点では、電力遮断部１４は、遮断状態であるものとする。
【００２９】
続いて、制御信号入出力部１８への電力遮断部１４の投入を指示する制御信号が入力されるか（ステップ１０１でＹＥＳ）、信号入力部１２へ復帰要求ボタン２の押下に応じた信号が入力されるか（ステップ１０２でＹＥＳ）、信号入力部１２へ人体検知センサ３による人体検知に応じた信号が入力されると（ステップ１０３でＹＥＳ）、制御部１１は、電力遮断部１４を制御して投入状態にし、電力出力部１６を介して遊技台４に電力を供給する（ステップ１０４）。また、遊技台４への電力供給に伴って、電力遮断部１４と電力出力部１８の間に電流が流れるため、電力計測部１３により電流値が計測される。
【００３０】
次に、制御部１１は、電流計測部１３が計測した電流値に基づいて、遊技台４の待機電流の電流値を特定する（ステップ１０５）。待機電流の電流値の特定は、電力遮断部１４と電力出力部１８の間に流れる電流の波形に基づいて行う。この電流、つまり、遊技台４に流れる電流は、例えば、図４に示すような波形となる。
【００３１】
図４に示した波形は、時刻ｔ１が電源投入時を示し、時刻ｔ１から時刻ｔ２の間が遊技台４の初期化処理時、時刻ｔ２から時刻ｔ３が遊技台４の待機時、時刻ｔ３から時刻ｔ４が遊技台４の稼動時、時刻ｔ４以降が遊技台４の待機時を示している。したがって、制御部１１は、電流計測部１３が計測した電流値を監視し、遊技台４の起動後（電力遮断部１４を投入状態にした後）に、電流値が上昇し、その後に電流値が下降して電流値がほぼ一定となった際の値を、待機電流の電流値として取得することができる。
【００３２】
遊技台４の待機電流の電流値を取得すると、制御部１１は、電流計測部１３が計測した電流値を監視し、その電流値が待機電流値である状態が予め定めた一定時間継続した場合に（ステップ１０６でＹＥＳ、ステップ１０７でＮＯ、ステップ１０８でＮＯ、ステップ１０９でＹＥＳ）、電力遮断部１４を制御して遮断状態にして、遊技台４への電力供給を停止し（ステップ１１０）、ステップ１０１の処理に戻る。
【００３３】
一方、制御部１１は、電流計測部１３が計測した電流値が待機電流値である状態が予め定めた一定時間継続するのを待つ間に（ステップ１０９でＮＯ）、電流計測部１３が待機電流値以外の電流値を計測した場合、つまり、遊技台４が稼動中となり、待機電流値よりも大きな電流値が計測された場合は（ステップ１０７でＹＥＳ）、再度、電流計測部１３が計測した電流値が待機電流値である状態となるのを待つ（ステップ１０６でＮＯ）。
【００３４】
また、一方、制御部１１は、電流計測部１３が計測した電流値が待機電流値である状態が予め定めた一定時間継続するのを待つ間に（ステップ１０９でＮＯ）、制御信号入出力部１８への電力遮断部１４の遮断を指示する制御信号が入力されると（ステップ１０８でＹＥＳ）、電力遮断部１４を制御して遮断状態にして、遊技台４への電力供給を停止し（ステップ１１０）、ステップ１０１の処理に戻る。
【００３５】
なお、前述のように、制御信号入出力部１８は、必ずしも必要でないため、制御信号入出力部１８を省略することができるが、この場合、図３のステップ１０１とステップ１０８を常にＮＯとなるものとすれば、制御部１１の動作を説明することができるため、ここでの詳細な説明は省略する。
【００３６】
同様に、復帰要求ボタン２を省略した場合は、ステップ１０２が常にＮＯとなり、人体検知センサ３を省略した場合には、ステップ１０３が常にＮＯとなるものとすれば、制御部１１の動作を説明することができるため、ここでの詳細な説明は省略する。
【符号の説明】
【００３７】
１、１−１〜１−ｎ    電源制御装置
２、２−１〜２−ｎ    復帰要求ボタン
３、３−１〜３−ｎ    人体検知センサ
４、４−１〜４−ｎ    遊技台
５    電源
１１    制御部
１２    信号入力部
１３    電流計測部
１４    電力遮断部
１５    電力入力部
１６    電力出力部
１７    制御装置用電源
１８    制御信号入出力部
【図１】
2012239812.tif 000003
【図２】
2012239812.tif 000004
【図３】
2012239812.tif 000005
【図４】
2012239812.tif 000006